(57)【要約】【課題】ＨＤＭＩ経由で受信取得したオーディオ信号が、対応可能な符号化方式である場合の保護機能を与える。【解決手段】ＨＤＭＩ経由で受信されたオーディオ信号をＤＩＲでデコードする段階において符号化形式の判別を行い、対応処理可能な符号化方式ではないことが判定された場合には、オーディオＤＳＰ部の出力をミュート回路にミュートするように構成する。【選択図】図２
2007116507.tif 000002
【特許請求の範囲】
【請求項１】
オーディオ信号と制御信号を少なくとも入出力対象とする所定のデジタルインターフェイス規格に従って、デジタルオーディオ信号の適合符号化方式を外部機器に認識させる認識手段と、
上記デジタルインターフェイス規格に従って、外部機器から送出されるオーディオ信号を入力する入力手段と、
上記入力手段により入力したオーディオ信号について、上記適合符号化方式に応じた信号処理を実行して出力する信号処理出力手段と、
上記入力手段により入力したオーディオ信号の符号化方式を検出する検出手段と、
上記信号処理出力手段に入力されたオーディオ信号が音声として出力されるまでの信号経路において、信号の通過と遮断の切り換えが行われるようにして設けられるミュート手段と、
上記検出手段により検出されたオーディオ信号の符号化方式が、上記適合符号化方式ではない場合に、上記ミュート手段により信号が遮断されるように制御するミュート制御手段と、
を備えることを特徴とするオーディオ信号処理装置。
【請求項２】
オーディオ信号と制御信号を少なくとも入出力対象とする所定のデジタルインターフェイス規格に従って、デジタルオーディオ信号の適合符号化方式を外部機器に認識させる認識手順と、
デジタルインターフェイス規格に従って、外部機器から送出されるオーディオ信号を入力する入力手順と、
上記入力手順により入力したオーディオ信号について、上記適合符号化方式に応じた信号処理を実行して出力する信号処理出力手順と、
上記入力手順により入力したオーディオ信号の符号化方式を検出する検出手順と、
上記検出手順により検出されたオーディオ信号の符号化方式が、上記適合符号化方式ではない場合に、上記信号処理出力手順がオーディオ信号を入力して音声として出力するまでの信号経路において信号の通過と遮断の切り換えが行われるようにして設けられるミュート部により信号が遮断されるように制御するミュート制御手順と、
を実行することを特徴とするオーディオ信号処理方法。
【発明の詳細な説明】
【技術分野】
【０００１】
本発明は、オーディオ信号を対象として信号処理を施す信号処理装置とその方法に関する。
【背景技術】
【０００２】
例えばＨＤＭＩ(High-Definition Multimedia Interface)、ＩＥＥＥ１３９４などをはじめとして、少なくともオーディオ信号と制御情報との入出力（送受信）が可能とされたデジタルインターフェイス規格が知られ、また実用化されている状況にある。
【０００３】
【特許文献１】特開２００２−３３０１３３号公報
【発明の開示】
【発明が解決しようとする課題】
【０００４】
上記しているようなデジタルインターフェイスでは、オーディオ信号だけではなく、制御情報も送受信可能とされていることから、例えば、送信側と受信側との間で所定のトランザクションに従った制御情報の送受信を行うことで、送受信すべきオーディオ信号のフォーマットを自動決定するようなことも可能とされる。
しかしながら、何らかの原因で、オーディオ信号のフォーマット決定のためのトランザクションが正常に実行されずに失敗した場合には、例えばシステム構成によっては、送信側から、受信側が対応していないフォーマットのオーディオ信号を送出するようなエラーが生じる可能性がある。そして、システム構成によっては、受信側にて、この送信されてきたオーディオ信号について、自身が対応するフォーマットのオーディオ信号として処理を実行してしまい、最終的に音声として出力される際には、異音、ノイズとなってしまうことになる。
本願発明としては、このような不都合を回避して、例えば、デジタルインターフェイスを採用するオーディオシステムの信頼性が損なわれないようにすることを課題とする。
【課題を解決するための手段】
【０００５】
そこで本発明は上記した課題を考慮して、オーディオ信号処理装置として次のように構成する。
オーディオ信号と制御信号を少なくとも入出力対象とする所定のデジタルインターフェイス規格に従って、デジタルオーディオ信号の適合符号化方式を外部機器に認識させる認識手段と、デジタルインターフェイス規格に従って、外部機器から送出されるオーディオ信号を入力する入力手段と、この入力手段により入力したオーディオ信号について、適合符号化方式に応じた信号処理を実行して出力する信号処理出力手段と、入力手段により入力したオーディオ信号の符号化方式を検出する検出手段と、信号処理出力手段に入力されたオーディオ信号が音声として出力されるまでの信号経路において、信号の通過と遮断の切り換えが行われるようにして設けられるミュート手段と、検出手段により検出されたオーディオ信号の符号化方式が、適合符号化方式ではない場合にミュート手段により信号が遮断されるように制御するミュート制御手段とを備えることとした。
【０００６】
上記構成においては、所定のデジタルインターフェイス規格の下での通信により、先ず、外部機器に対して適合符号化方式を認識させるようにしている。ここでの適合符号化方式とは、本願発明のオーディオ信号処理装置が対応して適正に信号処理可能なオーディオ信号の符号化方式をいう。そして、外部機器は、通常は、この認識した符号化方式のオーディオ信号を、上記デジタルインターフェイス規格の通信により出力するようにされる。
本願発明のオーディオ信号処理装置では、上記デジタルインターフェイス規格の通信より入力したオーディオ信号は、特定の適合符号化方式に対応した信号処理を経て出力されるようになっている。そのうえで、上記デジタルインターフェイス規格により入力したオーディオ信号についての符号化方式の検出が行われ、この検出された符号化方式が、上記適合符号化方式ではない場合には、この入力したオーディオ信号が音声として出力されることがないようにミュートされることになる。
【発明の効果】
【０００７】
このようにして本発明は、デジタルインターフェイスを経由して入力したオーディオ信号の符号化方式が適合符号化方式でない場合には、音声出力が為されないようにされ、例えば何らかの原因により、外部機器が正常に適合符号化方式を認識できなかったような場合においても、異音などを出させてしまうような事故が防止される。これにより、例えばデジタルインターフェイスを利用したオーディオシステムの信頼性の向上が図られる。
【発明を実施するための最良の形態】
【０００８】
以下、本願発明の実施の形態のオーディオ信号処理装置として、テレビジョン受像機を例に挙げて説明する。
本実施の形態のテレビジョン受像機は、外部から映像音声ソースを入力するのにあたり、ＨＤＭＩ(High-Definition Multimedia Interface)を採用する。
ＨＤＭＩは、周知のようにして、デジタルインターフェイス規格の１つで、映像・音声・制御信号を入出力の対象としている。また、このＨＤＭＩは、パーソナルコンピュータ用途のディスプレイに向けた映像入出力用のデジタルインターフェイスであるＤＶＩ(Digital Visual Interface)の規格をベースとして、デジタル家電製品、デジタルＡＶ(Audio Visual)機器向けとして開発されたものである。物理層の仕様規格としては、ＴＭＤＳ(Transition Minimized Differential Signaling)が採用される。
【０００９】
図１は、本実施の形態のテレビジョン受像機１の構成例を示している。
この図に示すテレビジョン受像機１において、アンテナ１０により受信された放送波は、チューナ１１に入力される。チューナ１１は、入力された受信波についてキャリア復調などを行ったうえで、例えばシステムコントローラ２０の制御に応じて、指定のチャンネルのビデオ信号及びオーディオ信号（ビデオ・オーディオ信号）を抽出取得し、ＡＶ(Audio Visual)スイッチ１３に出力する。
【００１０】
また、この場合には、ＨＤＭＩ処理部１２を備えることで、外部ＡＶ機器１００から送出されるビデオ・オーディオ信号を入力可能とされている。ＨＤＭＩ処理部１２は、上記したＨＤＭＩとしてのデジタルインターフェイスの規格に準拠するようにして、外部との通信が可能に構成されたハードウェア部位を備えてなる。この場合のＨＤＭＩ処理部１２の機能としては、システムコントローラ２０の制御により、外部ＡＶ機器１００と通信を実行することで、外部ＡＶ機器１００から送出されるデジタルの映像・音声情報（ビデオ・オーディオ信号）を受信入力して取り込むようにされる。ＨＤＭＩ処理部１７により受信取得したビデオ・オーディオ信号は、ＡＶスイッチ１３に入力される。
なお、ＨＤＭＩは双方向通信であるので、例えばチューナ１１にて受信復調して得られた映像・音声の情報を、ＨＤＭＩ処理部１７を経由して外部に送出するように構成することも可能である。
【００１１】
また、周知のようにしてＨＤＭＩのシステム構成としては、送信・制御側となるＳｏｕｒｃｅと、受信・被制御側となるＳｉｎｋとから成るものとされる。図１との対応では、映像・音声情報を送信出力する外部ＡＶ機器１００におけるＨＤＭＩ対応の構成がＳｏｕｒｃｅとなり、映像・音声情報を受信入力して表示・音声出力を行うテレビジョン受像機１におけるＨＤＭＩ処理部１２がＳｉｎｋとなる。
【００１２】
ＡＶスイッチ１３では、上記のようにして、チューナ１１とＨＤＭＩ処理部１２から入力されたビデオ・オーディオ信号のうちから、再生出力すべきとされるビデオ・オーディオ信号を、システムコントローラ２０の制御に応じて選択する。選択したビデオ・オーディオ信号におけるビデオ信号はビデオ信号処理部１４に出力され、オーディオ信号はオーディオ信号処理／出力部１７に対して入力される。
【００１３】
ビデオ信号処理部１４では、入力されたビデオ信号について、所定の信号処理を実行してビデオプロセッサ１５に出力する。ビデオプロセッサ１５は、入力されたビデオ信号を利用して、表示デバイスに対応した表示用のデータ、信号を生成して表示デバイス部１６に供給する。表示デバイス部１６は、所定種類の表示デバイスと、その表示デバイス種別に対応した駆動回路系などを備えて成り、ビデオプロセッサ１５から入力された信号により画像表示のための動作を実行する。これにより、表示デバイス部１６の表示画面部において、ビデオ信号を再生した画像が表示される。
【００１４】
また、オーディオ信号処理／出力部１７は、入力されたオーディオ信号についてデジタル信号段階、アナログ信号段階での所定の信号処理を施す信号処理系と、この信号処理系の出力が、例えばスピーカ出力、ヘッドフォン出力、外部ライン出力など、最終的に所定の出力態様により音声として出力されるようにするための出力回路系を備えて構成される。
【００１５】
システムコントローラ２０は、例えばＣＰＵ、ＲＯＭ、ＲＡＭなどから成るマイクロコンピュータを備えて構成され、テレビジョン受像機１についての各種制御処理を実行する。
操作部２１は、テレビジョン受像機１の本体に備えられる各種操作子と、この操作子に対する操作に応じてコマンドを生成してシステムコントローラ２０に出力する部位を一括して示している。また、リモートコントロール装置と、このリモートコントロール装置から送信されたコマンドを受信してシステムコントローラ２０に転送する受信部などを実際に備える場合にも、これらのリモートコントロール装置、及び受信部を、この操作部２１に含めることができる。
【００１６】
なお、外部ＡＶ機器１００の実際としては、ＨＤＭＩにより映像・音声の外部出力が可能とされているものであれば、特に限定されるものではない。例えば、現状であれば、ＤＶＤ(Digital versatile Disc)を再生可能な再生装置、所定キャリアのテレビジョン放送を受信可能なテレビジョンチューナー装置、ビデオカメラ装置などをはじめ、各種考えることができる。
【００１７】
図２は、上記図１に示した構成のテレビジョン受像機１において、ＨＤＭＩ処理部１２により外部から受信入力したビデオ・オーディオ信号のうち、オーディオ信号の処理・出力に対応する構成を抜き出して示しているもので、図１におけるＨＤＭＩ処理部１２、ＡＶスイッチ１３、オーディオ信号処理／出力部１７、及びシステムコントローラ２０が示されている。また、ここでは、図を分かりやすいものとするために、システムコントローラ２０の制御線は、音声ミュートの制御に関するもののみを示している。この図を参照して、本実施の形態のテレビジョン受像機１における、ＨＤＭＩの通信により受信取得したオーディオ信号を出力するための構成について説明する。
【００１８】
ＨＤＭＩ処理部１２は、外部ＡＶ機器１００から送信出力されるビデオ・オーディオ信号を受信取得するために、下記のようなトランザクションにより外部ＡＶ機器１００側と通信を実行する。
図１にて説明したように、この場合のＨＤＭＩのシステム構成としては、外部ＡＶ機器１００側のＨＤＭＩ対応機能がＳｏｕｒｃｅとなり、テレビジョン受像機１のＨＤＭＩ処理部１２がＳｉｎｋとなる。
外部ＡＶ機器１００からビデオ・オーディオ信号をＨＤＭＩを介してテレビジョン受像機１に送信出力するのにあたっては、先ず、外部ＡＶ機器１００側が、テレビジョン受像機１にて対応処理可能なオーディオ信号のフォーマットを認識することが行われる。このようなフォーマット認識の必要性は、次のような理由による。
具体例として、ＤＶＤなどでは、同じ映像に対して、ＤＴＳ（Digital Theater System）、Ｄｏｌｂｙ  ＡＣ３、リニアＰＣＭ(Pulse Code Modulation)などのようにして、複数の異なる音声符号化方式のオーディオ信号を記録している場合がある。そして、例えばＤＴＳ（Digital Theater System）の音声再生システムには、符号化方式がＤＴＳのオーディオ信号をＤＶＤから読み出して出力し、Ｄｏｌｂｙ  ＡＣ３の音声再生システムには、符号化方式がＤｏｌｂｙ  ＡＣ３のオーディオ信号を読み出して出力させ、リニアＰＣＭの音声再生システムには、符号化方式がリニアＰＣＭのオーディオ信号を読み出して出力させれば、それぞれの音声再生システムにより適正な音場再生出力が得られることになる。このようにして、共通の映像・音声ソースについて、複数のオーディオ信号の符号化方式を用意することで、音響再生システムへの対応の自由度を拡大することができる。しかしながら、このようにして、複数のオーディオ信号の符号化方式が用意されるということは、音声再生システム側に対して、その音声再生システムが対応する符号化方式のオーディオ信号を入力させなければ、適正に再生されなくなるということでもある。そこで、例えばＤＶＤ再生装置などのオーディオ信号の出力側から送出させるオーディオ信号の符号化方式を、音声再生システム側に適合したものとする仕組みが必要となる。そこで、ＨＤＭＩとしては、オーディオ信号の出力側（Ｓｏｕｒｃｅとなる外部ＡＶ機器１００が対応）にて、音声再生システム（Ｓｉｎｋとなるテレビジョン受像機１が対応）にて対応処理可能なオーディオ信号の符号化方式を自動認識し、この認識された符号化方式のオーディオ信号を選択して送信出力するようにされる。
【００１９】
このためには、例えば、ＨＤＭＩにより規定される所定の制御情報を用いて、外部ＡＶ機器１００が、テレビジョン受像機１にて対応処理可能なオーディオ信号の符号化方式の問い合わせを行う。ＨＤＭＩの場合、このオーディオ信号の符号化方式の問い合わせには、テレビジョン受像機１のＨＤＭＩ処理部１２が保持しているとされる、ＥＤＩＤを要求するようにされる。
ＥＤＩＤは、周知のようにして、ＤＶＩの規格の下では、解像度等をはじめとしたディスプレイモニタの特質を主に記述した識別情報であり、コンピュータ側は、ディスプレイモニタから取得したＥＤＩＤの内容を参照して、接続されたディスプレイモニタに適合した表示用ビデオ信号を出力するようにされていた。ＨＤＭＩの規格の下では、ＥＤＩＤは、ＨＤＭＩ経由でビデオ・オーディオ信号を入力するＳｉｎｋ側の情報として、少なくとも対応処理が可能なオーディオ信号の符号化方式を記述しているものとされる。
【００２０】
外部ＡＶ機器１００から送信されたＥＤＩＤの要求を受信したテレビジョン受像機１のＨＤＭＩ処理部１２では、自身が保持しているとされるＥＤＩＤを外部ＡＶ機器１００に対して送信する。外部ＡＶ機器１００は、送信されたＥＤＩＤを受信取得してその内容を参照することで、現在ＨＤＭＩ経由で接続されているテレビジョン受像機１が対応可能なオーディオ信号の符号化方式を認識するようにされる。外部ＡＶ機器１００は、ＨＤＭＩ経由でテレビジョン受像機１に対してビデオ・オーディオ信号を出力するのにあたり、オーディオ信号については、ＥＤＩＤから認識した符号化方式の信号を送信出力するようにされる。
【００２１】
ここで、本実施の形態のテレビジョン受像機１側にて対応処理が可能な音声符号方式は、Ｌ（左），Ｒ（右）  ２チャンネルステレオのリニアＰＣＭのみであることとする。つまり、本実施の形態のテレビジョン受像機１は、Ｌ（左），Ｒ（右）  ２チャンネルステレオに対応する音声出力系のみを備え、例えば、上記ＤＴＳ、ＡＣ３などの3チャンネル以上のマルチチャンネルによる音場再生が可能な音声出力系は備えない構成を採っていることになる。
【００２２】
テレビジョン受像機１のＨＤＭＩ処理部１２では、上記のようにして外部ＡＶ機器１００から送信されてくるビデオ・オーディオ信号を受信して、この場合には、ＡＶスイッチ１３に対して転送する。図１にて説明したように、ＡＶスイッチ１３は、入力された所定フォーマットのビデオ・オーディオ信号を、ビデオ信号とオーディオ信号とに分離し、オーディオ信号についてはオーディオ信号処理／出力部１７に対して入力させる。
【００２３】
オーディオ信号処理／出力部１７においては、ＡＶスイッチ１３経由で入力されてきたオーディオ信号を、先ずＤＩＲ(Digital Interface Receiver)３１に入力させる。本実施の形態においては、ＨＤＭＩにより伝送されるオーディオ信号は、Ｓ／ＰＤＩＦ(Sony/Philips Digital Interface Format)といわれるデジタルオーディオインターフェイス規格に準拠したデータ構造、形式となっている。ＤＩＲ３１では、このＳ／ＰＤＩＦに従った構造形式のオーディオデータを、後段のオーディオ信号処理系にて処理可能な形式に変換するためのデコード処理を実行する。
【００２４】
また、本実施の形態のＤＩＲ３１では、入力されてきたオーディオ信号の符号化方式を検出するための符号化方式検出部３１ａとしての機能を備える。この符号化方式検出部３１ａの動作は、後述する。
【００２５】
ＤＩＲ３１から出力されたオーディオ信号は、オーディオＤＳＰ(Digital Signal Processor)部３２に入力される。オーディオＤＳＰ部３２では、入力されたオーディオ信号について、この場合には、Ｌ，Ｒ  ２チャンネルステレオのＰＣＭデータとしてのデジタルオーディオ信号に対応した所要の信号処理を実行し、最終的にはＤ／Ａ変換を行って、アナログによる2チャンネルステレオのオーディオ信号として出力するようにされている。
この図では、オーディオＤＳＰ部３２における、２チャンネルステレオのオーディオ信号の出力を３系統設けることとしている。
１つは、ミュート回路３４を介してスピーカ３５に対して入力する系である。なお、ここでは、図示していないが、スピーカ３５を実際に駆動するためにオーディオ信号を増幅する回路系は、ミュート回路３４の後段に備えられることが好ましい。
また、もう１つは、ミュート回路３６を介してヘッドフォン端子３７に出力するものであり、さらにもう１つはミュート回路３８を介して音声ライン出力端子３９に出力するものである。
なお、図においては、オーディオＤＳＰ部３２からの各系統の出力を、それぞれ1本のラインにより示しているが、実際には、Ｌ，Ｒ2チャンネルステレオに対応した２つの信号ラインを有して成るものである。
【００２６】
ミュート回路３４は、オーディオＤＳＰ部１２からスピーカ３５に至るオーディオ信号のラインについての通過／遮断の切り換えが行われるようにして構成される。ミュート回路３６，３８も同様に、オーディオＤＳＰ部１２から、それぞれ、ヘッドフォン端子３７、音声ライン出力端子３９に至るオーディオ信号についての通過／遮断の切り換えが行われるようにして構成される。
ミュート回路３４，３６，３８によるラインの通過／遮断の切り換えは、システムコントローラ２０がミュート制御信号Ｓmを出力することで制御する。なお、システムコントローラ２０によるミュート回路３４，３６，３８の制御は、それぞれが独立して行われるようにしてもよいのであるが、本実施の形態の場合には、例えば上記３つの音声出力系のミュートを、個々に独立したタイミングで行うべき必要性が特に無いことから、共通のミュート制御信号Ｓmにより制御するようにしている。これにより、例えば実際においては、システムコントローラ２０を形成するＣＰＵなどにおける、ミュート制御信号出力のために必要なポート数を削減できる。
また、ミュート回路３４，３６，３８の実際の構成としては、例えば電子スイッチなどにより、遮断時にはオーディオ信号ラインをグランド電位と接続したり、オープンとするような構成とすればよい。
【００２７】
例えば、ミュート回路３４がオーディオ信号を通過させているときには、オーディオＤＳＰ部１２から出力されるオーディオ信号がスピーカ３５にて音声として出力されることになる。これに対して、ミュート回路３４がオーディオ信号を遮断しているときには、オーディオＤＳＰ部１２から出力されるオーディオ信号がスピーカ３５に供給されなくなることから、スピーカ３５からの音声出力は無くなる。つまり、スピーカ３５から出る音声のミュートが行われる。
同様にして、ミュート回路３６がオーディオ信号を通過させているときには、ヘッドフォン端子３７にオーディオＤＳＰ部１２から出力されるオーディオ信号が供給されるので、ヘッドフォン端子３７に接続したヘッドフォンから音声が出力される。これに対して、ミュート回路３６がオーディオ信号を遮断しているときには、オーディオＤＳＰ部１２からヘッドフォン端子３７へのオーディオ信号出力が遮断されるので、ヘッドフォンからの音声出力がミュートされる。
また、ミュート回路３８がオーディオ信号を通過させているときには、音声ライン出力端子３９にオーディオＤＳＰ部１２から出力されるオーディオ信号が供給されるので、音声ライン出力端子３９から外部に対してオーディオ信号が出力される。例えばこの音声ライン出力端子３９からオーディオ信号を入力している音声再生システムなどでは、このオーディオ信号の音声が出力される。これに対して、ミュート回路３８がオーディオ信号を遮断しているときには、オーディオＤＳＰ部１２から音声ライン出力端子３９へのオーディオ信号が出力されなくなる。このために、例えば音声ライン出力端子３９からオーディオ信号を入力している音声再生システムからの音声出力がミュートされる。
【００２８】
上記のようにして、図2に示す構成においては、テレビジョン受像機１からの音声出力をミュートさせることが可能とされている。この音声出力のミュートの動作は、次のようにしてコントロールされる。
【００２９】
先ず、図３により、Ｓ／ＰＤＩＦにおいて伝送されるオーディオデータの構造例を示す。この図に示す構造は、Ｌ，Ｒステレオ２チャンネルのリニアＰＣＭで符号化されたオーディオ信号をＳ／ＰＤＩＦにより伝送する場合のものとされる。
Ｓ／ＰＤＩＦでは、図３に示すフレーム単位のシーケンスによりオーディオデータを伝送する。1フレームがサンプリング周波数の1周期に対応する期間となる。
１つのフレームは、各２つのサブフレームに分割される。一方のサブフレームがＬ(左)チャンネルに対応し、他方のサブフレームがＲ(右)チャンネルに対応する。この場合には、前方のサブフレームがＬチャンネル音声に対応し、後方のサブフレームがＲチャンネル音声に対応している。
各サブフレームは、先頭に例えば４ビットのプリアンブルが配置され、続けて、量子化ビット数に応じた片チャンネル分の実オーディオデータが配置される。この場合には、量子化ビット数が２４ビットのリニアＰＣＭデータであることに対応して、２４ビットのオーディオデータが配置されることになる。
オーディオデータに続けては、計４ビットの冗長データが配置される。この冗長データは、各1ビットのＶ(Validity)ビット、Ｕ(User Data)ビット、Ｃ(Channel Status)ビット、Ｐ(Parity)ビットが順次配置されて成る。Ｃビットは、１９２フレーム分の集合により1ブロックを形成する。
【００３０】
符号化方式検出部３１ａは、ＤＩＲ３１においてＳ／ＰＤＩＦの構造形式のオーディオデータのデコード処理を実行している過程において、このデコード処理を実行しているオーディオデータの符号化を検出するのに相当する処理を実行するようにされる。システムコントローラ２０は、周期的にＤＩＲ３１の符号化方式検出部３１ａにアクセスして、その検出情報を読み込むようにされる。システムコントローラ２０は、この検出情報を参照することで、現在においてＨＤＭＩにより受信入力しているオーディオ信号の符号化方式を認識するようにされる。
具体的には、符号化方式検出部３１ａは、ＤＩＲ３１におけるデコード処理によりオーディオデータから分離抽出されるＣビットを取り込んで取得するようにされる。そして、取得したＣビットによりブロック単位の情報を形成する。このブロック単位の情報には、オーディオ信号の符号化方式を識別するための識別情報が格納されている。符号化方式検出部３１ａは、システムコントローラ２０からのアクセスがあったときには、この識別情報に基づいて判定した符号化方式を示すデータを、システムコントローラ２０に渡すようにされる。システムコントローラ２０は、このようにして取得した符号化方式を示す情報により、現在ＨＤＭＩにより入力しているオーディオ信号の符号化方式を認識、検出できることになる。
なお、オーディオ信号の符号化方式検出の構成として、ＤＩＲ３１の符号化方式検出部３１ａが担うべき機能と、システムコントローラ２０が担うべき機能は、上記したものに限定されない。例えば、ＤＩＲ３１の符号化方式検出部３１ａとしては、Ｃビットの抽出、保持を行い、システムコントローラ２０がＣビットのデータを取り込んでいくようにしてもよい。この場合には、システムコントローラ２０により、例えば取り込んだＣビットを集めてブロック単位の情報に構築し、その情報の内容から符号化方式を判別、認識するように構成することになる。
【００３１】
システムコントローラ２０では、上記のようにして認識した受信取得中のオーディオ信号の符号化方式について、テレビジョン受像機１が対応して処理可能な符号化方式であるか否かについて判別するようにされる。具体的には、認識した符号化方式が、リニアＰＣＭであるか否かについて判別することになる。そして、この判別結果として、認識した符号化方式が、テレビジョン受像機１により処理可能な符号化方式であるとの結果を得た場合には、オーディオ信号を通過させるためのミュート制御信号Ｓmを、ミュート回路３４，３６，３８に対して出力する。
これに対して、認識した符号化方式が、テレビジョン受像機１により処理可能な符号化方式以外のものであるとの結果を得た場合には、オーディオ信号を遮断させるためのミュート制御信号Ｓmを、ミュート回路３４，３６，３８に対して出力する。
このようにして、本実施の形態では、ＨＤＭＩ経由で入力されるオーディオ信号の符号化形式について、自身が対応処理可能な符号化方式と同じであれば音声を出力させ、自身が対応可能な符号化方式とは異なるのであれば、音声をミュートするようにされる。
【００３２】
先に説明したように、通常の場合には、ＨＤＭＩのレベルで、外部ＡＶ機器１００に対して、テレビジョン受像機１が対応処理可能な符号化方式を認識させるようにしているので、外部ＡＶ機器１００からテレビジョン受像機１に対しては、テレビジョン受像機１が対応する符号化方式のオーディオ信号が送信出力される。
しかしながら、何らかの要因により、ＨＤＭＩにおける符号化方式認識のためのトランザクションがエラーになる可能性がある。また、例えば今後、各種機器に対するＨＤＭＩの実装が普及してきたような場合には、要求される物理・論理仕様条件を満たさないような粗悪な品質のＨＤＭＩのデバイスを実装するような機器も出てくる確率が多くなると考えられる。このような機器との通信も、エラーを生じやすい。
このようにしてエラーが生じた場合の事例として、外部ＡＶ機器１００からは、誤って判定した符号化方式のオーディオ信号を送信出力してしまう場合がある。テレビジョン受像機１側としては、自身が対応できない符号化方式のオーディオ信号を受信取得することになるが、例えば符号化方式認識のための通信が実際にはエラーであったのに、ＯＫの結果が得られているような状態では、受信取得したオーディオ信号を、ＤＩＲ３１、オーディオＤＳＰ部１２により、対応可能が符号化方式のオーディオ信号として扱って処理してしまう可能性がある。このようにして処理されたオーディオ信号をそのまま音声として出力させたとすると、ノイズ、異音となってしまい、ユーザに不快感を与えることになる。また、ノイズ、異音としての信号レベルが過大となって回路を破壊する可能性もある。
そこで、本実施の形態のようにして、ＨＤＭＩにより受信取得したオーディオ信号の符号化方式の判別結果に応じて音声ミュートをかけるようにすれば、上記したようなノイズ、異音が再生音声として出力されることがなくなる。
【００３３】
なお、本願発明としては、これまでに説明した実施の形態に限定されるものではない。
先ず、図２に示す構成では、オーディオＤＳＰ部３２から出力されたアナログのオーディオ信号の段階でミュートをかけるように構成しているが、例えば、オーディオＤＳＰ部１２内において、デジタル信号処理段階でミュートをかけるような構成とすることも考えられる。しかしながら、本実施の形態のようにして、オーディオＤＳＰ部１２の出力段においてミュートをかける構成としたほうが、例えばオーディオＤＳＰ部１２としてのチップ部品の設計仕様を変更する必要がないなど、製造上での利点がある。
例えば上記実施の形態では、ＨＤＭＩによりオーディオ信号を受信取得する機器、つまり本願発明のオーディオ信号が適用される機器として、テレビジョン受像機を例に挙げているが、これ以外であって、オーディオ信号を入力して音声出力に関するまでの過程における何らかの信号処理を実行できる機器であれば、本願発明の適用が可能とされる。
また、本願発明としてのデジタルインターフェイス規格としても、ＨＤＭＩのみに限定されるものではなく、少なくとも、オーディオ信号と制御信号を送受信、入出力可能なデジタルインターフェイス規格であれば適用できる。同様にして、上記デジタルインターフェイス規格により伝送されるオーディオ信号の形式についても、Ｓ／ＰＤＩＦに限定されない。また、デジタルインターフェイス規格により伝送されるオーディオ信号の形式に応じて、符号化形式を認識、判定するためのアルゴリズムなどは適宜変更されるべきものである。
【図面の簡単な説明】
【００３４】
【図１】本発明の実施の形態としてのテレビジョン受像機の構成例を示す図である。
【図２】実施の形態のテレビジョン受像機において、音声信号処理系の構成を抜き出して示す図である。
【図３】Ｓ／ＰＤＩＦにおけるオーディオデータの構造を示す図である。
【符号の説明】
【００３５】
１  テレビジョン受像機、１０  アンテナ、１１  チューナ、１２  ＨＤＭＩ処理部、１３  ＡＶスイッチ、１４  ビデオ信号処理部、１５  ビデオプロセッサ、１６  表示デバイス部、１７  オーディオ信号処理／出力部、２０  システムコントローラ、２１  操作部、３１  ＤＩＲ、３２  オーディオＤＳＰ、３４，３６，３８  ミュート回路、３５  スピーカ、３７  ヘッドフォン端子、３９  音声ライン出力端子
【図１】
2007116507.tif 000003
【図２】
2007116507.tif 000004
【図３】
2007116507.tif 000005